(57)【要約】      （修正有）【課題】種々の寸法のオイルフィルタに使用できると共に、オイルフィルタに対する締付け力が向上されるオイルフィルタレンチを提供する。【解決手段】オイルフィルタレンチは、長尺状の把持体１０と、把持体の長手方向に形成したガイド溝１３に嵌挿した螺軸２０と、螺軸の後端部外方に設けた操作部３０と、把持体の前端部に設けた腕部１１より前方に出没されてオイルフィルタの外周面を巻回し締付ける締付け部４１を構成するとともに、締付け部の基端に形成されたスライダ４３が螺軸に設けられた締付けベルト体４０と、を備える。操作部を回動することにより、締付け部を拡開収縮して、締付けベルト体をオイルフィルタの外周面に締付けて固定又は取り外しができる。【選択図】図３
0003199648.tif 000002
【実用新案登録請求の範囲】
【請求項１】
前端部に略Ｙ字状の腕部を、該腕部の前端部から後端部までの長手方向の内部にガイド溝を有する、上下一対の分割体からなる長尺状の把持体と、
前記把持体のガイド溝に回動自在に嵌挿した螺軸の後端部外方に設けた操作部と、
把持体の腕部に形成されたガイド溝に挿通されて、オイルフィルタの外周面を巻回し締付けるための締付け部を有するとともに、該締付け部の基端に連続して形成されたベルト本体部を前記螺軸に設けた締付けベルト体とからなり、
前記操作部を回動することにより、前記締付けベルト体の締付け部を拡開収縮して、該締付けベルト体の締付け部をオイルフィルタの外周面に締付け固定し又は取り外し可能に構成してあることを特徴とするオイルフィルタレンチ。
【請求項２】
前記把持体の腕部における前記ガイド溝の開口部より内側のオイルフィルタに当接する外面には、突起部が形成されていることを特徴とする請求項１に記載のオイルフィルタレンチ。
【考案の詳細な説明】
【技術分野】
【０００１】
この考案は、自動車等のエンジンの内部を潤滑するエンジンオイルを清浄に保つオイルフィルタの取り付け、取り外しを行うオイルフィルタレンチに関するものである。
【背景技術】
【０００２】
自動車等に使用されるエンジン等の内燃機関は、可動摺動部分を潤滑するためにエンジンオイルをエンジン内部にて循環させるのが一般的に行われており、このエンジンオイルが潤滑の際に含んだ不純物を取り除いて再度循環させるために循環経路途中にオイルフィルタが設けられている。このオイルフィルタの構造は一般的には円筒状のフィルタケース内に紙製フィルタを内蔵し、エンジンの外殻に設けられたネジにフィルタケースの一方端部側をねじ込むことで、オイルフィルタをエンジンに固定すると同時に、オイルフィルタ内部がエンジンのオイル循環経路に組み込まれるようになっている。
【０００３】
そして、エンジンオイルは使用に伴い劣化していくので、適宜なタイミングで使用済みエンジンオイルを全量抜き出して新しいエンジンオイルに交換する。そのとき、オイルフィルタも使用に伴い捕捉した不純物の蓄積により目詰まりを起こすので、エンジンオイル交換の１〜数回に一度、オイルフィルタも新品に交換することが行われている。
【０００４】
オイルフィルタは、新品をエンジンに取り付けの際は、円筒形や正多角形のオイルフィルタをエンジンに設けられたネジに手で回してねじ込むことで簡単に取り付けられるが、エンジン稼働によりオイルが循環すると固着して簡単に外れなくなり、また使用に伴いオイルフィルタの外装にオイルや汚れ等が付着して滑りやすくなっている。そのため、使用済みのオイルフィルタを取り外す際は、人間の手の力だけでは取り外す方向に使用済みオイルフィルタを回して取り外せない。
【０００５】
また、近年の自動車は、排ガス規制のためや快適機能の付加のためにエンジン本体以外の沢山の補機が存在しており、エンジンルーム内がこれらの補機の存在で空間が狭くなっており、オイルフィルタを手で取り外そうとしても手がやっと入る程度であり、オイルフィルタを取り外す際に腕の力が入りにくく、取り外し作業に苦労していた。
【０００６】
そこで、オイルフィルタを回動することにより、使用済みオイルフィルタを取り外したり、新品のものを取り付けたりする種々の方式による専用の治具（いわゆるオイルフィルタレンチ）が用いられている。例えば、オイルフィルタは円筒形であるが、通常、その外周面は多角形形状となっており、この多角形形状にかみ合う形状の治具を嵌め込んで、該治具を用いてオイルフィルタを着脱するオイルフィルタレンチがある。
【０００７】
例えば、特開平９−２２５８４８号公報（特許文献１という）に示されているように、皿形工具本体３の起立周壁３ａの内周面がオイルフィルタ２１の先端部２１ａに対応する形状としてあり、この皿形工具本体３の中央部に駆動用工具１０を嵌合する突出部２を有するものであり、駆動用工具１０を回転させることにより起立周壁３ａに噛み合ったオイルフィルタ２１も回転することで取り外されるものや、実用新案登録第３０６６８２９号公報（特許文献２）に示されているように、はめ筒本体１の内周面に掛かり止め模様が形成され、この掛かり止め模様をオイルフィルタ６の多角形形状の取替模様６１に嵌め込んで、回転するもの等種々のものがある。
【０００８】
また、オイルフィルタの外側端部の多角形形状部に嵌め込まずに、円筒状のオイルフィルタ外周部に、紐状あるいは帯状の巻回物を強く巻き付けてオイルフィルタと一体となるように固定し、その状態で回転させてオイルフィルタを取り外すものもある。例えば、実開平５−８０６６６号公報（特許文献３）に示されているように、数体の湾曲した締付腕体１を枢着してリング体２を形成し、このリング体２でオイルフィルタを締め込んで回すものや、金属製のチェーンを巻き付ける方式のチェーンレンチもある（例えば、特許第２９６９２１５号公報（特許文献４）参照）。
【０００９】
さらに、両端にレンチ嵌入孔を有する巻取り体にバンド保持体を設け、このバンド保持体にオイルフィルタの外周面を巻回して締め付ける締付バンドの基端を止着し、他端を巻取り体に係止してなるオイルフィルタレンチも知られている（例えば特開平７−５２０５８号公報（特許文献５）参照）。
【先行技術文献】
【特許文献】
【００１０】
【特許文献１】特開平９−２２５８４８号公報
【特許文献２】実用新案登録第３０６６８２９号公報
【特許文献３】実開平５−８０６６６号公報
【特許文献４】特許第２９６９２１５号公報
【特許文献５】特開平７−５２０５８号公報
【考案の概要】
【考案が解決しようとする課題】
【００１１】
ところで、オイルフィルタは、使用されるエンジンのメーカーや型式によって、その容量や大きさが違い、その外形寸法や形状に種々のものがあるため、オイルフィルタの外周面の多角形の形状も種類が多く、特許文献１や特許文献２のオイルフィルタレンチの場合、それぞれのオイルフィルタに嵌合する専用の部材が必要であり、他種類のオイルフィルタに対応するにはコストが高くなる問題があった。
【００１２】
特許文献３のものは、オイルフィルタの外周面の多角形の形状によらず、オイルフィルタレンチに設けた窓孔４の両端部への締付腕体１の係止位置により２種類の直径のオイルフィルタに適用できるようになっているが、その２種類以外の直径のオイルフィルタには使用できないという問題があった。
【００１３】
特許文献４のチェーンレンチは、オイルフィルタに巻回するチェーンの長さを調整できるので、種々の直径のオイルフィルタに使用できる汎用性がある。しかし、オイルフィルターの円筒状の凹凸の無い外部に巻回しているため、チェーン表面の凹凸のみによりオイルフィルタ表面への滑り止めとしており、チェーンを強く締め込まないとチェーンがオイルフィルタの表面に対して滑ってしまい、うまくオイルフィルタを回せないという問題があった。
【００１４】
特許文献５のベルトを締め付けて用いるものは、オイルフィルタの外径に合わせて調整自在であり汎用性があると共に、バンドの粘性によりオイルフィルタの表面に貼り付くようにしている。しかし、この場合もバンドが強く粘着するため強く締め付ける必要があり、ゴムや皮は金属に比較して強度に経年劣化が生じ、作業中にちぎれたりすることがあり、特にこれらのオイルフィルタレンチを手で持って作業をしているときにバンドが破損した場合、思わぬ事故に繋がるおそれがあるという問題があった。
【００１５】
更に、オイルフィルタ表面に付着しているオイルや汚れにより、上記特許文献３乃至５のように円筒状のオイルフィルタ外周表面を、単にベルト状の長尺物で締め付けるというだけでは滑りが生じて共回りしてしまい、オイルフィルタが簡単に着脱できないという問題があった。
【００１６】
この考案は、上記のような課題を解決し、種々のオイルフィルタに用いることができる汎用性があると共に、比較的容易にオイルフィルタに巻回して締付け固定でき、また、作業中の破損による事故も生じないようなオイルフィルタレンチを提供することを目的とする。
【課題を解決するための手段】
【００１７】
上記のような目的を解決するため、請求項１の考案のオイルフィルタレンチは、前端部に略Ｙ字状の腕部を、該腕部の前端部から後端部までの長手方向の内部にガイド溝を有する、上下一対の分割体からなる長尺状の把持体と、
前記把持体のガイド溝に回動自在に嵌挿した螺軸の後端部外方に設けた操作部と、
把持体の腕部に形成されたガイド溝に挿通されて、オイルフィルタの外周面を巻回し締付けるための締付け部を有するとともに、該締付け部の基端に連続して形成されたベルト本体部を前記螺軸に設けた締付けベルト体とからなり、
前記操作部を回動することにより、前記締付けベルト体の締付け部を拡開収縮して、該締付けベルト体の締付け部をオイルフィルタの外周面に締付け固定し又は取り外し可能に構成してあることを特徴とする。
【００１８】
請求項２の考案は、前記請求項１に記載のオイルフィルタレンチにおいて、前記把持体の腕部における前記ガイド溝の開口部より内側のオイルフィルタに当接する外面には、突起部が形成されていることを特徴とする。
【考案の効果】
【００１９】
この考案の請求項１のオイルフィルタレンチによれば、長尺状の把持体と、この把持体の内部に長手方向に形成したガイド溝に嵌挿した螺軸と、螺軸の後端部外方に回動自在に設けた操作部と、把持体の前端部に設けた腕部より前方に出没されてオイルフィルタの外周面を巻回し締付けるための締付け部、及び該締付け部の基端に連続して形成されたスライダを前記螺軸に設けた締付けベルト体とからなり、前記操作部を回動することにより、前記締付けベルト体の締付け部を拡開収縮して、該締付けベルト体をオイルフィルタの外周面に締付け固定し又は取り外し可能に構成してあることを特徴とするから、前記操作部の回動操作により、締付けベルト体の締付け部が形成する外郭円（包絡円）の大きさを任意に調節できるので、種々の寸法のオイルフィルタに使用できる。しかも、把持体の脚部の前部外周面と締付け部とでオイルフィルタの外周面を挟み込んで締め付け固定するので、従来のベルトのみで締め付けるものより強固に固定され、オイルフィルタレンチの表面に付着したオイルや汚れによりベルトが滑り、回転できなくなることを防止することができる。
【００２０】
また、前述したように、把持体を手で把持して操作部を回動するだけで、締付け部材の締付け部をオイルフィルタの外周面に締付け又は緩めることができるので、狭い場所でもオイルフィルタに取り付け又は取り外しが簡単に作業できる。
【００２１】
さらに、把持体、螺軸、操作部及び締付けベルト体の各構成部品は、簡単な構造のものであり、しかもこれらの部品の組立作業も簡単である。
【００２２】
請求項２のオイルフィルタレンチによれば、前記把持体の腕部における前記ガイド溝の開口部より内側のオイルフィルタに当接する外面には、突起部が形成されていることから、締付けベルト体の締付け部の縮小により突起部がオイルフィルタの外周面に食い込み、さらに、締付け部を縮小させる引っ張り力により、オイルフィルタを突起部側に押し付ける力が働き、オイルフィルタは、突起部と、締付け部の反対側からの引きつける力の２点からの内側に向かう力で２点支持され、オイルフィルタレンチの外周面に付着したオイルや汚れにより該締付け部が滑り、回転できなくなることを防止できる。
なお、前記腕部に形成される突起部の形状や位置は、この考案では特に限定しないが、実施例図に示すように腕部の前面に形成された凹部の離間した対称位置に一対設けた場合には、オイルフィルタは、２つの突起部と、締付け部の反対側からの引きつける力の３点からの内側に向かう力で３点支持され、前記２点支持の場合より更に締付け力が向上され、更に滑りを防止できる。
【図面の簡単な説明】
【００２３】
【図１】この考案のオイルフィルタレンチをオイルフィルタに使用した使用状態を示す斜視図である。
【図２】この考案のオイルフィルタレンチの全体を示す斜視図である。
【図３】この考案のオイルフィルタレンチの正面断面図である。
【図４】（Ａ）、（Ｂ）は、いずれもこの考案のオイルフィルタレンチの使用状態を示し、（Ａ）は締付けベルト体の締付け部を拡開した場合の正面断面図、（Ｂ）は前記締付け部を縮小した場合の正面断面図である。
【図５】突起部の他の例を示す拡大正面図である。
【考案を実施するための形態】
【００２４】
この考案の実施の形態を図１〜図５に基づいて以下に説明する。
図１は、この考案の実施形態のオイルフィルタレンチをオイルフィルタに使用した使用状態を示す斜視図、図２はオイルフィルタレンチの全体を示す斜視図、図３はオイルフィルタレンチを正面から見た要部断面図である。
【００２５】
この考案に係るオイルフィルタレンチ１は、大略して、断面四角形で長尺状の把持体１０と、前記把持体１０の長手方向の内部に形成したガイド溝１３に回動自在に嵌挿した螺軸２０の後端部外方に設けた操作部３０と、把持体１０の腕部１１に形成されたガイド溝１３ａに挿通されて、オイルフィルタ５０の外周面を巻回し締付けるための締付け部４１を有するとともに、該締付け部４１の基端に連続して形成されたベルト本体部４２を前記螺軸２０に設けた締付けベルト体４０とからなっている。
【００２６】
前記把持体１０は、上下一対の分割体１０Ａ、１０Ｂが結合されたものであって、上部分割体１０Ａと下部分割体１０Ｂとは、図１〜図３に示されているように、対称に形成されている。厳格に言えば、両者１０Ａ、１０Ｂを螺着するためのネジ穴の口径が異なるのみである。それゆえ、この実施形態では上部分割体１０Ａの図示は省略しているので、下部分割体１０Ｂの図を参考にするとよい。
【００２７】
そして、この把持体１０、つまり上部分割体１０Ａと下部分割体１０Ｂの前端部には略Ｙ字状の腕部１１、１１が形成され、この左右の腕部１１、１１の間は、９０°以上、１８０°未満の鈍角の略Ｙ字形状となっている。
この略Ｙ字形状の鈍角の間は、円筒の一部円弧面形状の曲面をなす凹部１１ａを形成しており、使用されるオイルフィルタ５０の外径の最大値より若干大きな径の曲面に形成されている。
【００２８】
また、把持体１０の後端部には、前端部の腕部１１、１１と同様に左右方向に膨らんだ膨出部１２が形成されている。
【００２９】
さらに、前記把持体１０の腕部１１、１１の前端部から後端部までの長手方向の内部には、ガイド溝１３が形成されている。すなわち、このガイド溝１３は、把持体１０の内部中心で長さ方向に沿って断面四角形の空洞となる溝状に形成されており、このガイド溝１３は前記左右の腕部１１、１１の内部にてそれぞれ斜め方向へ走る２本のガイド溝１３ａ、１３ａへと連通しており、このガイド溝１３ａ、１３ａはそれぞれの腕部１１、１１の前端付近で凹部１１ａの面にあるスリット状の開口部１３ｂ、１３ｂへと連通されている。
【００３０】
また、前記把持体１０の腕部１１、１１におけるガイド溝１３ａ、１３ａの開口部１３ｂ、１３ｂより内側のオイルフィルタ５０に当接する外面には、突条となる左右一対の突起部１４、１４が形成されている。
【００３１】
螺軸２０は３つの螺旋溝を有する三条ネジを採用しているが、特に限定されず、一条、二条、四条ネジでもよい。しかしながら、条数が多い方が、操作部３０の回転に対する後述のスライダ４３の移動距離を大きくすることができる利点がある。
【００３２】
この螺軸２０には、その後端部に前記操作部３０が一体的に設けてあり、また螺軸の後端付近には円板状のストッパ２１を設けると共に、このストッパ２１を上下分割体１０Ａ、１０Ｂに形成した収納凹部１２ａ、１２ｂに収納している。このストッパ２１により螺軸２０はガイド溝１３の後端部付近で前後方向への動きが規制されて定位置で回転し、また操作部３０は人間が手で回転することによって、一体となった螺軸２０が前記ガイド溝１３内を左右任意方向に回転できるようになっている。
【００３３】
前記締付けベルト体４０は、ステンレススチール等の金属製の薄板で帯状に形成したもの一枚を用い、該締付けベルト体４０の両端部をスライダ４３に溶着し、このスライダ４３の内部に刻設した雌ネジ４３ａが前記螺軸２０の雄ネジ２２に螺合されている。従って、螺軸２０の回転に従ってスライダ４３はガイド溝１３、１３ａ内を前進後退動する。
【００３４】
この締付けベルト体４０を、上下分割体１０Ａ、１０Ｂからなる把持体１０に組み付ける場合の一例について、以下に説明する。
【００３５】
前述したように、後端部に固定した操作部３０及びストッパ２１と、ストッパ２１より上方側に上下動可能に螺着したスライダ４３と、スライダ４３にベルト本体部４２の基端部を固定した締付けベルト体４０とを備えた螺軸２０を用意する。
【００３６】
次に、前記ストッパ２１を把持体１０の下部分割体１０Ｂの収納凹部１２ｂに嵌合し、スライダ４３とベルト本体部４２とを長さ方向のガイド溝１３内に嵌合すると共に、リング状の締付け部４１となる締付けベルト体４０の前端部位の下部の一部分を、腕部１１、１１に形成した左右のガイド溝１３ａ、１３ａに嵌合する。これによって、左右の腕部１１、１１のガイド溝１３ａ、１３ａの開口部１３ｂ、１３ｂより内側に形成された腕部１１、１１の前端部前面（円弧面状の凹部１１ａ）と、前記開口部１３ｂ、１３ｂより前方へ円弧面状に延びた円弧面４４の内周壁面とで略円形状（リング状）の締付け部４１が構成される。
【００３７】
最後に、把持体１０の上部分割体１０Ａの膨出部１２の裏面側に形成された収納凹部１２ａに上記ストッパ２１を嵌合し、上記［００３６］と同様に、スライダ４３とベルト本体部４２とをガイド溝１３内に嵌合すると共に、締付けベルト体４０の前端部位の一部分を、腕部１１、１１に形成した左右のガイド溝１３ａ、１３ａに嵌合する。これによって、前記［００３６］と同様にして、略円弧状（リング状）の締付け部４１が構成される。
【００３８】
なお、把持体１０の下部分割体１０Ｂと上部分割体１０Ａとを重合して、下部分割体１０Ｂのネジ穴１５と、上部分割体１０Ａのネジ穴１６とにネジ１７を螺入してネジ止めする。
【００３９】
この考案のオイルフィルタレンチ１は、以上の通り構成してあるため、前記操作部３０を回動すると、螺軸２０の回転に伴いスライダ４３が螺軸２０に沿って前進後退動するので、操作部３０の正逆回転によってスライダ４３がガイド溝１３内で前後に移動し、それに伴いベルト本体部４２も前後に移動する。その結果、把持体１０の腕部１１、１１に形成されたガイド溝１３ａ、１３ａに嵌挿された締付けベルト体４０の前端部は、両開口部１３ｂ、１３ｂ間で形成された円弧面状の凹部１１ａとの間でリング状に形成されて締付け部４１を構成するが、この締付け部４１の大きさは、前記操作部３０の操作によるスライダ４３及び締付けベルト体４０の前後動の移動長さにより調節されるのである。
【００４０】
つまり、一言すれば、前記操作部３０を回転することにより、前記締付けベルト体４０の締付け部４１を拡開収縮して、該締付けベルト体４０の締付け部４１をオイルフィルタ５０の外周面に締付け固定し又は取り外し可能に構成してある。
【００４１】
次に、この考案のオイルフィルタレンチの使用方法を図４（A），（B）に基づいて以下に説明する。まず、図４（A）に示すように、使用済みで取り外すべきオイルフィルタ５０（点線で表示）の外周側に、オイルフィルタレンチ１の締付けベルト体４０の締付け部４１を巻回して掛ける。
【００４２】
その際、手で長尺状の把持体１０を握るが、前端側の腕部１１，１１と、後端側の膨出部１２，１２の存在により、手からオイルフィルタレンチがすべり落ちるのを防止する。
【００４３】
もし、締付けベルト体４０の締付け部４１の大きさが、オイルフィルタ５０の外径より小さい場合には、当該締付け部４１が拡開して広がる方向に操作部３０を正回転操作することにより、締付け部４１がオイルフィルタ５０を巻回して通る程度に大きくする（図４（A）参照）。
【００４４】
上記状態（図４（A））で、締付け部４１をオイルフィルタ５０の外周面に巻回し、操作部３０を当該締付け部４１が収縮して締付ける方向に逆回転させて、締付け部４１を縮小させてゆき、締付け部４１がオイルフィルタ５０の外表面に密着して締付ける（図４（Ｂ）参照）。
【００４５】
このとき、締付け部４１がオイルフィルタ５０の外周面に巻回した後も、操作部３０を締付け部４１が縮小する方向に回せば、オイルフィルタ５０は、把持体１０の凹部１１ａと、締付けベルト体４０の締付け部４１に締付けられて、腕部１１の凹部１１ａに形成されている一対の突起部１４、１４が、オイルフィルタ５０の外周表面に食い込むことにより、オイルフィルタレンチ１がオイルフィルタ５０に強固に固定される。
【００４６】
すなわち、この強固に締付け固定された状態では、２つの突起部１４、１４がオイルフィルタ５０に食い込んでおり、かつ、開口部１３ｂから締付けベルト体４０の締付け部４１を縮小させる引っ張り力が加わり、オイルフィルタ５０を突起部１４、１４側に押し付ける力が働き、オイルフィルタ５０は、突起部１４、１４の二点と、締付け部４１の凹部１１ａとは反対側からの引きつける力の合計３点からの内側に向かう力で強固に支持されており、この３点支持により安定的に保持されている。そのため、オイルフィルタレンチ１の回転にともない締付けベルト体４０がオイルや汚れが付着したオイルフィルタ５０の表面に対して滑ったり外れたりすることがない。
【００４７】
なお、この考案は、上記した実施形態で示した形状や構造に限定されるものではなく、この考案の目的を発揮できる範囲内で各部を適宜変更して実施することができる。
【００４８】
例えば、２本の腕部１１、１１によって略Ｙ字形状とした内側の凹部１１ａは、円筒の内側形状の曲面を形成するが、必ずしも円筒の曲面形状とする必要は無く、鈍角を為す２つの平板で囲まれた凹部１１ａとしてもよい。要するに、使用されるオイルフィルタ５０の直径の最大値と最小値のものが、この凹部１１ａ内に嵌まり込んで、突起部１４、１４がオイルフィルタ５０の外面に食い込むものであればよい。
【００４９】
また、突起部１４、１４は、上記実施形態で示すように突条形状のものに限定されるものではなく、例えば、棒状の微小な突起を所定の２個所に１又は複数設けたりすることもできる。あるいは、凹凸のイボ状のものを形成したものでもよい。
【００５０】
更に、凹部１１ａの面に突出状の凸部を設けて突起部１４とする他に、図５に示すように、使用されるオイルフィルタ５０のうち最大値の直径を有するオイルフィルタを５０Ｌ、最小値の直径を有するオイルフィルタを５０Ｓとすると、凹部１１ａをオイルフィルタ５０Ｌの直径より大きな直径の曲面Ｒ１とし、更にその中央部を、オイルフィルタ５０Ｓの直径より小さな直径の曲面Ｒ２とすると、曲面Ｒ１とＲ２の境界部はオイルフィルタ５０Ｌにも５０Ｓにも点（線）接触し、この曲面Ｒ１とＲ２の境界部を突起部１４とすることもできる。
【００５１】
操作部３０は、上記実施形態では筒状の外周面にローレットを形成し、このローレット部分を把持して回動するものを用いている。しかし、これに代えて、円板の一部に外方に向けて手指で把持する摘み（図示せず）を突設したものや、螺軸２０の後端部に蝶ナットを一体的に突設したものを採用することもでき、操作部３０の形状や構造は適宜変更することができる。
【符号の説明】
【００５２】
１  オイルフィルタレンチ
１０    把持体
１０Ａ  上部分割体
１０Ｂ  下部分割体
１１    腕部
１１ａ  凹部
１２    膨出部
１３    ガイド溝
１３ａ  ガイド溝（腕部の）
１３ｂ  開口部
１４    突起部
２０    螺軸
２１    ストッパ
３０    操作部
４０    締付けベルト体
４１    締付け部
４２    ベルト本体部
４３    スライダ
５０    オイルフィルタ
【図１】
0003199648.tif 000003
【図２】
0003199648.tif 000004
【図３】
0003199648.tif 000005
【図４】
0003199648.tif 000006
【図５】
0003199648.tif 000007